(57)【特許請求の範囲】
【請求項１】
押出し方向に中空部が複数形成された押出し成形セメント板を前記中空部が上下方向となるように縦張りで配置するとともに、周囲が押出し成形セメント板によって囲まれた開口部に窓サッシを取り付けた建物の外壁構造において、
前記押出し成形セメント板によって囲まれた開口部に、上枠、下枠及び両側枠からなるとともに、既存サッシを取付け可能とした見切り枠が取り付けられ、この見切り枠を介して、その内部に既存サッシが取り付けられており、
前記見切り枠は、少なくとも上枠及び両側枠の室外側に開口部内方側に突出するサッシ当接片を備え、前記既存サッシは前記サッシ当接片との間にシール材を介してサッシ枠の室外面を当接させた状態で前記見切り枠内に収容されるとともに、前記サッシ枠の室内側に配置されたサッシ固定金具により固定され、かつ室内側に配置された窓額縁によって前記固定金具が覆い隠されていることを特徴とする建物の外壁構造。
【請求項２】
前記サッシ固定金具は断面略Ｌ字状部材とされ、前記見切り枠への係止により見込み方向に移動不能に取り付けた状態で、ビスによって前記見切り枠とサッシ枠とに夫々固定されている請求項１記載の建物の外壁構造。
【請求項３】
前記既存サッシの下枠に、下面を平面状とするための据付用アタッチメントを予め取付けておき、前記見切り枠の下枠内部に設置したセッティングブロック上に前記既存サッシを載置するようにしてある請求項１，２いずれかに記載の建物の外壁構造。
【発明の詳細な説明】
【技術分野】
【０００１】
本発明は、押出し成形セメントを用いた外壁構造であって、詳しくは開口部に種々の既存サッシを取付け可能とした建物の外壁構造に関する。
【背景技術】
【０００２】
近年、押出し成形セメント板を外壁材として用いた外壁構造が多く採用されるようになってきている。押出し成形セメント板は、塗装仕上げやタイル張り仕上げに適しており、設計者の意図する建築イメージが創り易いなどの利点を備えており、中層建物から高層建物まで広く使用されている。
【０００３】
外壁を構築するには、押出し成形セメント板を縦張り状（押出方向が上下方向となる向きで躯体へ取り付ける態様）又は横張り状に配置して外壁を構築するとともに、隣接する押出し成形セメント板間の隙間を埋めて防水処理を行う。また、窓設置部では、開口に窓サッシを嵌め込んで固定するとともに、周囲の隙間をシール材やタイト材によって塞ぐようにしている。
【０００４】
例えば、前記押出し成形セメント板間の防水処理としては、下記特許文献１に示されるように、押出成形セメント板の隙間にパネル取付通し材を取り付ける。このパネル取付通し材は、押出成形セメント板の下端面を受ける水平辺と、該水平辺から直角に折れ曲がり前記躯体に固定される後部立ち上がり辺と、該後部立ち上がり辺の上端から屋内側へ直角に折れ曲がる金具取付辺と、前記水平辺の屋外側端から直角に垂下する水切辺とを有した略Ｚ字形状の部材で、前記水切辺が、前記中空部の開口する押出成形セメント板の上端面を板面と平行に切り欠いた切欠部に挿入され、上下に隣接した前記押出成形セメント板の間の横目地に、前記水切辺と当接するバックアップ材が挿入され、さらにシーリング材が充填された押出成形セメント板の防水構造が提案されている。
【０００５】
また、窓サッシ周囲の防水処理としては、例えば下記特許文献２では、図１０に示されるように、押出し成形セメント板５０、５０…によってビル等の外壁を構築するとともに、この押出し成形セメント板５０により囲まれた開口部５１にサッシ５２の枠材を嵌め込んで固定するに当り、窓枠５３の外周面気密に保持するタイト部材（気密材）５４を取り付けるとともに、隣接するセメント板５０に取付けられているパネル側タイト部材５５と密着させて、サッシを囲むセメント板５０との間をサッシ５２の全周囲に渡って水密に保持する水密構造が開示されている。
【先行技術文献】
【特許文献】
【０００６】
【特許文献１】特開２００９−８４８１１号公報
【特許文献２】特開平１０−１０２６５１号公報
【発明の概要】
【発明が解決しようとする課題】
【０００７】
上記特許文献２に示されるような窓部構造の場合は、同図１０に示されるように、窓部に押出し成形セメント板の仕口形状に合わせた専用のサッシ枠を予め用意しておき、これを開口部に取り付けるものである。
【０００８】
従って、専用サッシ枠を別途製造しておく必要があるため、これらに伴う製作コストが余計に発生する。また、近年はサッシも種々の窓形式のものが提案されているが、使用できる種類が少ないとデザイン性が大幅に制限されることになる。更に、サッシ自体の交換が実質的に困難であるとともに、メンテナンスも容易ではなかった。
【０００９】
そこで本発明の主たる課題は、特別に製作された専用サッシではなく、任意に選択された既存サッシを前記押出し成形セメント板の開口部に取付け可能とすることにある。
【課題を解決するための手段】
【００１０】
前記課題を解決するために請求項１に係る本発明として、押出し方向に中空部が複数形成された押出し成形セメント板を前記中空部が上下方向となるように縦張りで配置するとともに、周囲が押出し成形セメント板によって囲まれた開口部に窓サッシを取り付けた建物の外壁構造において、
前記押出し成形セメント板によって囲まれた開口部に、上枠、下枠及び両側枠からなるとともに、既存サッシを取付け可能とした見切り枠が取り付けられ、この見切り枠を介して、その内部に既存サッシが取り付けられており、
前記見切り枠は、少なくとも上枠及び両側枠の室外側に開口部内方側に突出するサッシ当接片を備え、前記既存サッシは前記サッシ当接片との間にシール材を介してサッシ枠の室外面を当接させた状態で前記見切り枠内に収容されるとともに、前記サッシ枠の室内側に配置されたサッシ固定金具により固定され、かつ室内側に配置された窓額縁によって前記固定金具が覆い隠されていることを特徴とする建物の外壁構造が提供される。
【００１１】
上記請求項１記載の発明では、押出し成形セメント板によって囲まれた開口部に、上枠、下枠及び両側枠からなるとともに、既存サッシを取付け可能とした見切り枠が取り付けられ、この見切り枠を介して、その内部に既存サッシが取り付けられるため、専用に製作されたサッシではなく、任意に選択された既存サッシを押出し成形セメント板の開口部に取付け可能となる。
【００１２】
前記既存サッシの取付けは、前記見切り枠は、少なくとも上枠及び両側枠の室外側に開口部内方側に突出するサッシ当接片を備え、前記既存サッシは前記当接片との間にシール材を介してサッシ枠の室外面を当接させた状態で前記見切り枠内に収容されるとともに、前記サッシ枠の室内側に配置された固定金具により固定され、かつ室内側に配置された窓額縁によって前記固定金具が覆い隠されているようにする。従って、既存サッシを見切り枠内に室内側から簡単に取り付けることが可能であるとともに、前記サッシ固定金具も窓額縁によって隠されるため、外観も良好となる。
【００１３】
請求項２に係る本発明として、前記サッシ固定金具は断面略Ｌ字状部材とされ、前記見切り枠への係止により見込み方向に移動不能に取り付けた状態で、ビスによって前記見切り枠とサッシ枠とに夫々固定されている請求項１記載の建物の外壁構造が提供される。
【００１４】
上記請求項２記載の発明の発明は、既存サッシの固定に当り、前記サッシ固定金具として断面略Ｌ字状部材を用い、前記見切り枠への係止により見込み方向に移動不能に取り付けた状態で、ビスによって前記見切り枠とサッシ枠とに夫々固定されるようにしたものである。
【００１５】
請求項３に係る本発明として、前記既存サッシの下枠に、下面を平面状とするための据付用アタッチメントを予め取付けておき、前記見切り枠の下枠内部に設置したセッティングブロック上に前記既存サッシを載置するようにしてある請求項１，２いずれかに記載の建物の外壁構造が提供される。
【００１６】
上記請求項３記載の発明は、前記既存サッシの下枠に、下面を平面状とするための据付用アタッチメントを予め取付けておくことで、前記見切り枠の下枠内部に設置したセッティングブロック上に前記既存サッシを載置できるようにしたものである。従って、仮置きした状態で前記サッシ固定金具の取付け作業が行えるため、作業が容易となる。
【発明の効果】
【００１７】
以上詳説のとおり本発明によれば、特別に製作された専用サッシではなく、任意に選択された既存サッシを前記押出し成形セメント板の開口部に取付け可能となる。
【図面の簡単な説明】
【００１８】
【図１】本発明に係る建物の外壁構造の窓部外観図である。
【図２】窓サッシ２の室内側からの斜視図である。
【図３】押出し成形セメント板１の斜視図である。
【図４】(A)は押出し成形セメント板１，１の縦目地部横断面（図１の4A-4A線矢視図）、(B)は横目地部横断面（図１の4B-4B線矢視図）である。
【図５】窓サッシ２部の縦断面図（図１のV−V線矢視図）である。
【図６】窓サッシ２部の横断面図（図１のVI−VI線矢視図）である。
【図７】窓サッシ２の分解縦断面図である。
【図８】窓サッシ２の分解横断面図である。
【図９】見切り枠３の嵌め込み要領を示す図である。
【図１０】従来の押出し成形セメント板を用いた窓サッシ部の縦断面図である。
【発明を実施するための形態】
【００１９】
以下、本発明の実施の形態について図面を参照しながら詳述する。
【００２０】
本発明に係る建物の外壁構造は、図１に示されるように、押出し方向に中空部が形成された押出し成形セメント板１，１…（以下、単にセメント板という。）を前記中空部が上下方向となるように縦張りで配置するとともに、周囲がセメント板１，１…によって囲まれた開口部１０に対して窓サッシ２を取り付けたものである。
【００２１】
以下、更に具体的に詳述する。
〔押出し成形セメント板１〕
前記セメント板１は、セメント・けい酸質原料および繊維質原料を主原料として、複数の中空部を有する板状に押出し成形し、オートクレーブ養生したパネルである。具体的には、図３に示されるように、板内部には押出し方向に沿って中空部１ａ、１ａ…が形成され、一方側の縦方向側面の略中央部に長手方向に沿って嵌合用凸部１Ａが形成されるとともに、他方側の縦方向側面の略中央に長手方向に沿って前記嵌合用凸部１Ａが嵌合する嵌合用凹部１Ｂが形成されている。
【００２２】
そして、建物の外壁部に前記中空部１ａ、１ａ…が上下方向となるように縦張りで配置する。水平方向に隣接するセメント板１，１間では、図４(A)に示されるように、一方のセメント板１の嵌合用凸部１Ａを他方のセメント板１の嵌合用凹部１Ｂに嵌合させた状態で組合せ、その組合せ部の室外面側凹部にバックアップ材４０を挿入し、その上にシール材４１が充填される。
【００２３】
一方、縦方向に隣接するセメント板１，１では、図４(B)に示されるように、パネル取付通し材４２を間に介して配置される。前記パネル取付通し材４２は、押出成形セメント板１の下端面を受ける水平辺４３と、該水平辺４３から直角に折れ曲がり躯体に固定される後部立ち上がり辺４４と、該後部立ち上がり辺４４の上端から屋内側へ直角に折れ曲がる金具取付辺４５と、前記水平辺４３の屋外側端から直角に垂下する水切辺４６とを有した略Ｚ字形状に形成され、前記水切辺４６が押出成形セメント板１の上端面に形成された切欠部に挿入され、上下で隣接した前記押出成形セメント板の間に形成される横目地に、前記水切辺４６と当接するバックアップ材４０が挿入され、その上にシール材４１が充填される。
【００２４】
〔窓サッシ２〕
一方、前記セメント板１，１…によって囲まれた開口部１０に設置される窓サッシ２は、図２に示されるように、既存サッシを取付け可能とした見切り枠３と、この見切り枠３を介して内部に取り付けられた既存サッシ４とからなる。
【００２５】
前記見切り枠３は、サッシ取付け用の枠材であり、図５及び図６に示されるように、上枠６、下枠７及び両側枠８，９とからなる。前記上枠６は、板状の水平板部６ａと、この水平板部６ａの室外側端部から開口部内方側に垂下するサッシ当接片６ｂと、水平板部６ａの室内側端部から上方向に立ち上がった後部壁６ｃとから主に構成され、前記サッシ当接片６ｂに室外に向かって斜め方向に突出する水切り片６ｄが形成され、前記水平板部６ａの上面に第２タイト材保持片６ｅが形成され、前記水平板部６ａと後部壁６ｃとの隅部には中空部６ｆが形成され、前記後部壁６ｃの背面にはアンカー取付け部１１が形成されている。前記アンカー取付け部１１は、ボルト頭部を嵌合可能とした溝型形状部であり、図１に示されるように、頭部を嵌合させた固定ボルト１２の軸部にアングル部材１３を保持させるようになっている。前記固定ボルト１２及びアングル部材１３からなるサッシ側ファスナーは所定数だけ設けられる。
【００２６】
前記下枠７は、略断面Ｌ字状中空部７ａの室外側に水平片７ｂを介して室外側中空部７ｃと、前記Ｌ字状中空部７ａの背面から垂下する後部壁７ｄとから主に構成され、前記室外側中空部７ｃの下面に水切り部材１４が取り付けられている。この水切り部材１４は、タイト材１５の保持部を兼用している。前記Ｌ字状中空部７ａの下面には、第２タイト材保持部７ｅを有するとともに、前記Ｌ字状中空部７ａの背面部にアンカー取付け部１１が形成されている。
【００２７】
前記側枠８（９）は、板状の側壁８ａ（９ａ）と、側壁８ａ（９ａ）の室外側端部から外方に延在する断面Ｌ字状のタイト材保持片８ｂ（９ｂ）と、側壁８ａ（９ａ）の室外側端部から開口部内方側に突出するサッシ当接片８ｃ（９ｃ）と、側壁８ａ（９ａ）の室内側端部から側方に延在する後部壁８ｄ（９ｄ）とから主に構成され、前記側壁８ａ（９ａ）と後部壁８ｄ（９ｄ）との隅部には中空部８ｅ（９ｅ）が形成され、この中空部８ｅ（９ｅ）の背面部にアンカー取付け部１１が形成されている。前記タイト材保持片８ｂ（９ｂ）の先端には、外方に向かうタイト材１６（１７）が取り付けられている。これら側枠８（９）においては、前記側壁８ａ（９ａ）と、前記タイト材保持片８ｂ（９ｂ）と、前記中空部８ｅ（９ｅ）とによって外側に開口を向けた略凹状部Ｍが形成されている。
【００２８】
以上のように構成される見切り枠３は、図７及び図８に示されるように、セメント板１，１…によって形成された開口部１０に対して、既存サッシ４に先行して取り付けられる。
【００２９】
取付けに当たっては、図７に示されるように、上枠６側のセメント板１の小口面にタイト材２１を取り付けておく。そして、図９(A)(B)に示されるように、開口部１０の側面の内、嵌合用凸部１Ａが形成された側に対応する側枠８（９）、図示例では、側枠９の略凹状部Ｍを前記嵌合用凸部１Ａに差し込むようにしたならば、図９(C)に示されるように、側枠８側を室外側に回転させるようにして見切り枠３を開口部１０に嵌め込む。所謂、横ケンドン方式によって見切り枠３を開口部１０に嵌め込む。
【００３０】
前記見切り枠３を開口部１０に嵌め込んだ状態では、図８に示されるように、側枠９側において、側枠９の略凹状部Ｍにセメント板１の嵌合用凸部１Ａが嵌合された状態となる。そして、前記嵌合用凸部１Ａよりも室外側において見切り枠３に設けたタイト材１７の先端がセメント板１（室外側壁面部）に当接することによって防水処理がなされ、前記セメント板１の他方側側部では、前記嵌合用凹部１Ｂよりも室外側において見切り枠３に設けたタイト材１６がセメント板１（室外側壁面部）に当接することによって防水処理がなされるようになっている。また、側枠８（９）の中空部８ｅ（９ｅ）とセメント板１の室内側壁部との間には耐火材１８が配置されている。この耐火材１８は、予め見切り枠３側又はセメント板１側に取り付けておくようにする。後部壁８ｄ（９ｄ）とセメント板１背面との隙間には、バックアップ材１９を挿入した後、シール材２０を充填する。
【００３１】
一方、見切り枠３の上枠６では、セメント板１に取り付けたタイト材２１の先端が上枠６の上面に接触することにより防水処理がなされているとともに、タイト材保持片６ｅによって保持された第２タイト材２２の先端がセメント板１に接触するようになっている。また、中空部６ｆとセメント板１との間には耐火材１８が配置されている。この耐火材１８は、予め見切り枠３側又はセメント板１側に取り付けておくようにする。後部壁６ｃとセメント板１背面との隙間には、バックアップ材１９を挿入した後、シール材２０を充填する。
【００３２】
他方、見切り枠３の下枠７では、見切り枠３に保持されたタイト材１５の先端がセメント板１（室外側壁面部）に接触することにより防水処理がなされているとともに、第２タイト材２３の先端がセメント板１に接触するようになっている。また、Ｌ字状中空部７ａとセメント板１との間には耐火材１８が配置されている。この耐火材１８は、予め見切り枠３側又はセメント板１側に取り付けておくようにする。後部壁７ｄとセメント板１背面との隙間には、バックアップ材１９を挿入した後、シール材２０を充填する。
【００３３】
アンカー取付け部１１に設けられたサッシ側ファスナー１２，１３は、図５及び図６に示されるように、セメント板１側に設けられた開口補強鋼材４７に対して、アングル部材１３が溶接等によってしっかりと固定される。
【００３４】
前記見切り枠３は、図７及び図８に示されるように、下枠７を除く上枠６、両側枠８，９において、内周面に平面部が形成されるようになっており、この内周部に既存サッシ４が嵌め込まれ、固定されるようになっている。
【００３５】
〔既存サッシ４〕
前記見切り枠３の内部に設置される既存サッシ４は、上枠２４、下枠２５及び両側枠２６，２７からなるサッシ枠の内部にガラスＧを嵌合支持したものである。
【００３６】
前記上枠２４は、図７に示されるように、開口を外側に向けたコ字状部２４ａを本体として、室外側に前壁２４ｂを有する部材であり、前記コ字状部２４ａの内周面に取り付けられる横増縁２８によってガラス嵌合溝Ｓが形成されるようになっている。
【００３７】
前記下枠２５は、同図７に示されるように、底面部２５ａの室外側に前壁２５ｂを備えるとともに、後側に背面壁２５ｃを備え、背面壁２５ｃの上部から水平方向に突出する水平突片２５ｄによってガラス嵌合溝Ｓが形成されるようになっている。前記底面部２５ａの下面には、脚部２５ｅが形成されている。
【００３８】
前記両側枠２６，２７は、図８に示されるように、開口を外側に向けたコ字状部２６ａ（２７ａ）を本体として、室外側に前壁２６ｂ（２７ｂ）を有する部材であり、前記コ字状部２６ａ（２７ａ）の内周面に取り付けられる縦増縁３０（３１）によってガラス嵌合溝Ｓが形成されるようになっている。
【００３９】
前記ガラスＧは、周方向に亘って形成されたガラス嵌合溝Ｓに対して嵌合された状態で、バックアップ材及びシール材によって支持されている。
【００４０】
前記既存サッシ４の取付けに当たって、先ず下枠２５の下部に、据付用アタッチメント２９が取り付けられる。この据付用アタッチメント２９は、平面状とされる底面部２９ａの前側に前側起立壁２９ｂを有し、後側に後側起立壁２９ｃを有する断面フック状の部材であり、前記前側起立壁２９ｂを脚部２５ｅにあてがい、ビス３２で固定するとともに、前記後側起立壁２９ｃを平面壁２５ｃにあてがいビス３３で固定する。また、見切り枠３の下枠７には、セッティングブロック３４を設置しておく。また、前記見切り枠３の上枠６，両側枠８，９のサッシ当接片６ｂ、８ｃ、９ｃの室内面側にバックアップ材４５を設置する。
【００４１】
取付け準備が完了したならば、次に室内側から既存サッシ４を見切り枠３の内部に挿入する。
【００４２】
既存サッシ４を見切り枠３内部に嵌め込んで前記セッティングブロック３４上に仮置きする。そして、図５及び図６に示されるように、前記見切り枠３の上枠６，両側枠８，９のサッシ当接片６ｂ、８ｃ、９ｃと、既存サッシ４の上枠２４、両側枠２６，２７との間にバックアップ材４５に隣接してシール材４６を充填する。また、見切り枠３の下枠７側についても、既存サッシ４の下枠２５との間の隙間に、バックアップ材４５及びシール材４６を充填する。
【００４３】
前記見切り枠３の設置が完了したならば、既存サッシ４の固定作業に入る。具体的には、図７に示されるように、上枠２４の背面に断面略Ｌ字状のサッシ固定金具３５を設置する。このサッシ固定金具３５には、係止片３５ａが設けられており、この係止片３５ａが見切り枠３の上枠６に形成された被係止溝６ｆに係止することにより見込み方向に移動不能に取付けた状態で、ビス３９ａを見切り枠３の上枠６側に螺入するとともに、ビス３９ｂを既存サッシ４の上枠２４側に螺入することにより既存サッシ４の固定を図る。
【００４４】
また、既存サッシ４の下枠２５の背面に断面略Ｌ字状のサッシ固定金具３６を設置する。このサッシ固定金具３６には、係止片３６ａが設けられており、この係止片３６ａが見切り枠３の下枠７に形成された被係止溝７ｆに係止することにより見込み方向に移動不能に取付けた状態で、ビス３９ａを見切り枠３の上枠６側に螺入するとともに、ビス３９ｂを既存サッシ４の下枠２５側に螺入することにより既存サッシ４の固定を図る。
【００４５】
更に、両側枠２６、２７においても、背面に断面略Ｌ字状のサッシ固定金具３７，３８を設置する。このサッシ固定金具３７，３８にも、係止片３７ａ、３８ａが設けられており、この係止片３７ａ、３８ａが見切り枠３の両側枠８，９に形成された被係止溝８ｆ、９ｆに係止することにより見込み方向に移動不能に取付けた状態で、ビス３９ａを見切り枠３の側枠８，９側に螺入するとともに、ビス３９ｂを既存サッシ４の両側枠２６，２７側に螺入することにより既存サッシ４の固定を図る。
【００４６】
以上の要領によって、既存サッシ４の固定を完了したならば、図５及び図６に示されるように、既存サッシ４の枠体２４〜２７の室内面側において、室内側に配置された窓額縁４０〜４３によって、前記サッシ固定金具３５〜３８を覆い隠すようにする。これら窓額縁４０〜４３の取付けは、サッシ固定金具３５〜３８の室内側に重ねてアングル部材４４を設置し、このアングル部材４４に窓額縁４０〜４３を固定する。
【００４７】
〔他の形態例〕
(1)上記形態例では、見切り枠３の両側枠８，９とセメント板１とを防水するのに、見切り枠３に設けたタイト材１６，１７によって防水処理を行うようにしたが、セメント板１側にタイト材１６，１７を設けるようにしてもよい。同様に、上枠６ではセメント板１側にタイト材２１を設置したが、上枠６側に設けても良いし、下枠７ではセメント板１側にタイト材１５を設けるようにしてもよい。
(2)上記形態例では、既存サッシ４としてＦＩＸサッシを用いたが、開閉可能な障子を備えたサッシを用いてもよい。
【符号の説明】
【００４８】
１…押出し成形セメント板、１ａ…中空部、１Ａ…嵌合用凸部、１Ｂ…嵌合用凹部、２…窓サッシ、３…見切り枠、４…既存サッシ、６…上枠、７…下枠、８・９…側枠、１０…開口部、１１…アンカー取付け部、１２…固定ボルト、１３…アングル部材、１５・１６・１７・２１…タイト材、１８…耐火材、２２・２３…第２タイト材、４７…開口補強鋼材、Ｍ…略凹状部、Ｓ…ガラス嵌合溝
【図１】
0005431101.tif 000002
【図２】
0005431101.tif 000003
【図３】
0005431101.tif 000004
【図４】
0005431101.tif 000005
【図５】
0005431101.tif 000006
【図６】
0005431101.tif 000007
【図７】
0005431101.tif 000008
【図８】
0005431101.tif 000009
【図９】
0005431101.tif 000010
【図１０】
0005431101.tif 000011